(57)【要約】      （修正有）【課題】一枚のシートから、多様なサイズ、形態の店頭ツールを制作できる、連続シートを提供する。【解決手段】イメージ表示シートｓを、所望の数枚、縦横、平面状に連続させ、各シート間の境界線に、ミシン目を設け、一体に形成した連続シートの外側に、平面シート状枠ｆを設け、一体シート状に形成した、枠付き連続シートｆＳにおいて、各々のミシン目を、平面シート状枠に対し延長させ、四方各々の端辺に対し直交するミシン目を設け、平面シート状枠に対し、切り取り片部を、複数、設け、各々に、支持孔を設けた。【選択図】図１
2017097312.tif 000002
【特許請求の範囲】
【請求項１】
イメージ表示シートを、
所望の数枚、縦、横方向に、平面状に連続させ、
各イメージ表示シート間の、縦、横の各境界線に、各々ミシン目を設け、
一体に形成した連続シートの外郭線の外側に、平面シート状枠を設け、
前記外郭線に沿ってミシン目を設け、
前記連続シートと前記平面シート状枠とを、一体シート状に形成した、
枠付き連続シートにおいて、
前記枠付き連続シートに設けた、前記、縦、横の、各々のミシン目を、
前記平面シート状枠に対し延長させ、
前記平面シート状枠の四方各々の端辺に対し直交するミシン目を設け、
前記平面シート状枠に対し、切り取り片部を、複数、設け、
前記切り取り片部各々に、支持孔を設けた、
ことを特徴とする枠付き連続切り取りシート。
【発明の詳細な説明】
【技術分野】
【０００１】本発明は、一枚のシートから、多様なサイズ、形態の店頭ツールを制作できる、連続シートに関する。
【背景技術】
【０００２】Ｔシャツ販売店舗においては、来店客に商品購入を促すために、Ｔシャツのデザインを効果的にアピールする陳列、売り場演出が課題となる。【０００３】中でも、キャラクター、ロゴマークなど、アイコン的デザインをアピールする場合、バリエーションを用意し、デザイン同士を比較させ、吟味、選択する楽しさを演出し、購買意欲を高める手法が用いられるが、その際、デザイン、及びカラー・バリエーションを一覧できる陳列形態が前提となる。（図１５参照）【０００４】しかし、売り場スペースが小さい店舗では、すべてのＴシャツを広げた状態で、一枚一枚の絵柄を確認できるような陳列は難しく、折り畳まれた状態（図１６参照）で棚に重ね置きされたり、吊り下げ陳列においても商品同士が前後に重なった状態で陳列され、複数のＴシャツデザインを確認したい場合、一枚ごとに、広げて確認、畳み直す、または、ハンガーラックから掛け外し、掛け戻す作業を繰り返すなど、煩わしさを感じる場面が少なくない。【０００５】また、小さな売り場に、畳み置きされたＴシャツを、複数枚、広げ、並べて、デザインのバリエーションを一覧状に比較検討できるようなスペースはなく、商品の上に広げて並べるのも、他の来店客に迷惑がかかるので難しい。【０００６】店舗陳列において、Ｔシャツの絵柄を見易くするために考案された先行技術として、
特開２００７−３０１３２２号の発明が提供されているが、この発明の構成では、Ｔシャツが折り畳まれた状態は変わらず、Ｔシャツのフォルム（型）に施されたデザインがもたらす雰囲気、イメージは確認できない。【０００７】そこで、パネル、吊りポップなどの店頭ツールに表示し、Ｔシャツデザインのバリエーションを紹介、アピールする方法が考えられる。（図１７参照）【０００８】しかし、チェーン店などの場合、店ごとに、売り場スペースの形態、広さは異なり、スペースが小さい店舗では、店頭ツールの配置スペースも限定されるため、本部などで画一的に企画された店頭ツールが提供された場合、店側の陳列スペース、陳列パターンに合わず、ツールが効果的に使えないケースがある。【０００９】パネル、吊りポップに加え、スタンドポップなど様々な店頭ツールを、店ごとに用意するのは、手間とコストを要する上、ツールのクォリティを一定に保てない、チェーン店全体の統一感、ブランドイメージが損なわれるなどの、リスクが懸念される。
【先行技術文献】
【特許文献】
【００１０】
【特許文献１】特開２００７−３０１３２２号
【発明の概要】
【発明が解決しようとする課題】
【００１１】本発明は、上記の課題を解決するものである。
すなわち、売り場スペースが小さいＴシャツ売り場では、Ｔシャツが畳まれた状態で陳列されたり、Ｔシャツ同士が、前後に重なった状態でハンガー掛けされ、顧客が、Ｔシャツのデザインを複数確認したい場合、毎回、Ｔシャツを広げ、確認し、畳み直す、ハンガーラックに重ね掛けされたＴシャツを取り出し、確認し、元の場所に戻す、という作業を繰り返さなくてはいけない、また、Ｔシャツデザインのバリエーションを一覧状に比較検討できないなど、デザインの選択に伴う煩わしさを解消する。
そのために、店頭ツールを活用した、Ｔシャツデザインの紹介方法を提案する。
同時に、チェーン店、各々の陳列スペース、陳列パターンに対し多様に対応、簡易に用意でき、かつブランドの統一感を崩さない店頭ツール制作シートを提供する。
【課題を解決するための手段】
【００１２】上記課題を解決するために、本発明の、請求項１の発明は、
イメージ表示シートを、
所望の数枚、縦、横方向に、平面状に連続させ、
各イメージ表示シート間の、縦、横の各境界線に、各々ミシン目を設け、
一体に形成した連続シートの外郭線の外側に、平面シート状枠を設け、
前記外郭線に沿ってミシン目を設け、
前記連続シートと前記平面シ−ト状枠とを、一体シート状に形成した、
枠付き連続シートにおいて、
前記枠付き連続シートに設けた、前記、縦、横の、各々のミシン目を、
前記平面シート状枠に対し延長させ、
前記平面シート状枠の四方各々の端辺に対し直交するミシン目を設け、
前記平面シート状枠に対し、切り取り片部を、複数、設け、
前記切り取り片部各々に、支持孔を設けた、
ことを特徴とする枠付き連続切り取りシートを提供する。【００１３】本発明の、枠付き連続切り取りシートは、様々なパターンの店頭ツールを、それぞれの目的にあった、所望するかたちで用意できる、店頭ツール制作シートである。
【発明の効果】
【００１４】上記の構成により、本発明は、一枚状のシートから、様々なパターンの店頭ツールを、簡易に制作、用意できる。【００１５】各イメージ表示シートに、様々な絵柄のＴシャツのイメージを表示し、それぞれのミシン目に沿ってイメージ表示シートを切り分ければ、多様なパターンの、Ｔシャツデザイン表示用の店頭ツールを、簡単、迅速に制作、用意できる。【００１６】店舗内の壁面や陳列台に配置すれば、顧客に対し、Ｔシャツデザイン、及びそのバリエーションを、様々な表示パターンで、省スペースかつ効果的に紹介できる。
顧客側は、Ｔシャツを一枚一枚広げて、畳み直し、元の場所に戻すなど、煩わしい作業を繰り返すことなく、複数の絵柄の概要をストレスなく比較検討できる。
商品を絞り込んだ後、実物Ｔシャツで確認すれば効率的に商品選択できる。【００１７】チェーン店、各々の陳列スペース、陳列パターンに対し、多様にサイズ対応できる。
様々なサイズ、形態の店頭ツールを用意でき、店側の手間、コストを省き、かつチェーン店、全体に対し統一感のある店頭演出ができる。
【図面の簡単な説明】
【００１８】
【図１】は、本発明第１の実施例の正面図である。
【図２】は、本発明第１実施例の使用例を紹介する参考図１である。
【図３】は、本発明第１実施例の使用例を紹介する参考図２である。
【図４】は、本発明第１実施例の使用例を紹介する参考図３である。
【図５】は、本発明第１実施例の使用例を紹介する参考図４である。
【図６】は、本発明第１実施例の使用例を紹介する参考図５である。
【図７】は、本発明のバリエーション例を紹介する参考図６である。
【図８】は、本発明のバリエーション例を紹介する参考図７である。
【図９】は、本発明第１実施例の使用例を紹介する参考図８である。
【図１０】は、ピン型支持具の構成、使用状態を紹介する参考図９である。
【図１１】は、本発明第１実施例の使用例を紹介する参考図１０である。
【図１２】は、本発明のバリエーション例を紹介する参考図１１である。
【図１３】は、本発明のバリエーション例を紹介する参考図１２である。
【図１４】は、本発明のバリエーション例を紹介する参考図１３である。
【図１５】は、Ｔシャツの一覧陳列時のイメージを表した参考図１４である。
【図１６】は、Ｔシャツを折り畳んだ状態のイメージを表した参考図１５である。
【図１７】は、パネルを使った、Ｔシャツデザインの表示パターンのイメージを表した参考図１６である。
【発明を実施するための形態】
【００１９】以下、本発明の実施形態について、図１〜図１７に基づいて説明する。
【実施例１】
【００２０】図１は、本発明の、第一の実施例である。【００２１】Ｔシャツデザインを表示した、イメージ表示シートｓを、縦、横方向に、４枚ずつ、１６枚、平面状に連続させ、各イメージ表示シートｓ間の、縦、横の各境界線に、各々ミシン目を設け一体に形成した連続シートＳの外郭線の外側に、平面シート状枠ｆを設け、前記外郭線に沿ってミシン目を設け、前記連続シートＳと前記平面シ−ト状枠ｆとを、一体シート状に形成した、枠付き連続シートｆＳにおいて、前記枠付き連続シートｆＳに設けた、前記、縦、横の、各々のミシン目を、前記平面シート状枠ｆに対し延長させ、前記平面シート状枠ｆの四方各々の端辺に対し直交するミシン目を設け、前記平面シート状枠ｆに対し、切り取り片部を、複数、設け、前記切り取り片部各々に、支持孔を設けた、枠付き連続切り取りシートＦＳの正面図、及び、平面図と右側面図を表している。【００２２】本発明は、凹凸のない平面状のシートであるので、以下、平面図、右側面図と、それぞれに対し同一に表れる底面図、左側面図、及び無地の背面図は省略する。【００２３】本発明の、使用方法、及び効果を説明する。【００２４】上記構成の店頭ツール制作シートＰＳは、縦、横に複数のミシン目が設けられており、所望の表示形態に応じ、切り取りパターンを選択、切り分ければ、１６枚の表示シートから、様々な形態の店頭ツールを、簡易に制作できる。（図２、図３参照）【００２５】壁掛け用、吊り下げ用、スタンド用と、異なる機能の商品ポップを、それぞれの陳列スペースに即した、様々なサイズ、形態にして、自在に制作できる。【００２６】図４〜図６は、Ｔシャツデザインを、壁掛け用、スタンド用、吊り下げ用、それぞれ異なるパターンのポップで表示した具体的表示例を表した参考図（正面図）である。【００２７】イメージ表示シートｓの、縦段、横列の連続パターン、枚数、及びシート単体の縦横の幅、大きさに関しては、図１の例に限らず、陳列、表示スペースに最適な、所望のサイズ、パターンを、自由に選択してよい。（図７、図８参照）【００２８】次に、前記切り取り片部各々に設けた支持孔の役割ついて説明する。【００２９】図９は、店頭ツール制作シートＰＳを、所望の枚数、所望の形態に切り分け、ピン型支持具を使用して、壁面に表示する場合の活用例を表した図である。【００３０】図１０は、ピン型支持具の構成例と、その使用法を表している。
例示のごとく、棒状の支持部と針部から成る簡易なピン具と前記棒状支持部にはめ込む筒型キャップから成る構成である。【００３１】前記切り取り片部各々に設けた前記支持孔に適応するピン型支持具を壁面に配置し、切り取り片部の支持孔を、前記棒状支持部に掛けることにより、所望の枚数、所望の形態に切り分けた、前記連続シートＳを、所望の角度で、アクセントをつける形で、壁面に表示でき、店舗演出に役立つ。【００３２】また、一つのピンに対し、複数のシートを重ね、回転状に展開させたり、連結状に
拡張させれば、さらに多彩に演出表示できる。（図１１参照）【００３３】図１２は、店頭ツール制作シートＰＳから平面シート状枠ｆを切り離し、連続シートＳを所望の形態に切り分け、ダイレクトメールとして使用する場合を想定した、形態、連続パターンの例である。【００３４】図１３は、イメージ表示シートｓに、Ｔシャツのイメージを表示し、その上部、もしくは全体が、輪郭線に沿って、型抜きできるように、ミシン目を設けた例である。
顧客の目を引く、印象的なポストカードを制作できる。（図１４参照）【００３５】以上のように、本発明の構成に基ずく枠付き連続シートにおいてを用いれば、一枚状のシートから、多様なパターンのツールを制作、用意でき、売り場スペースが小さなＴシャツ販売店舗内で、効果的、効率的にＴシャツデザイン、及びそのバリエーションを来店客に対し紹介、商品アピールできる。【００３６】チェーン店の場合、各店舗の陳列スペース、パターンに対し、多様に対応でき、店ごとのばらつきなく、統一性をもって、同一ツールを、全店で活用でき効率的である。【００３７】来店客は、複数のＴシャツデザイン、及びそのバリエーションをストレスなく比較検討でき、効率的に嗜好にあったデザイン選択できる。
【産業上の利用可能性】
【００３８】本発明を提供すれば、Ｔシャツの販売において重要な要素となる、Ｔシャツの絵柄、デザインを効率的、かつ演出的に陳列、紹介できる。
売り場スペースの小さい店舗においても、顧客に、陳列上の不便、煩わしさを感じさせることなく、十分に絵柄の確認、デザインのバリエーションを比較検討できる売り場環境を作れるので、店舗のＴシャツ販売を促進させる。
【符号の説明】
【００３９】ｓ．  イメージ表示シート
Ｓ．  連続シート
ｆ．  平面シート状枠
ｆＳ．枠付き連続シート
ＦＳ．枠付き連続切り取りシート
【図１】
2017097312.tif 000003
【図２】
2017097312.tif 000004
【図３】
2017097312.tif 000005
【図４】
2017097312.tif 000006
【図５】
2017097312.tif 000007
【図６】
2017097312.tif 000008
【図７】
2017097312.tif 000009
【図８】
2017097312.tif 000010
【図９】
2017097312.tif 000011
【図１０】
2017097312.tif 000012
【図１１】
2017097312.tif 000013
【図１２】
2017097312.tif 000014
【図１３】
2017097312.tif 000015
【図１４】
2017097312.tif 000016
【図１５】
2017097312.tif 000017
【図１６】
2017097312.tif 000018
【図１７】
2017097312.tif 000019